(57)【特許請求の範囲】
【請求項１】
固定部本体及び前記固定部本体から第１方向に突出した複数の収納部を含み、前記複数の収納部の各々は、一側に形成された第１開口部を含む、固定部材と、
前記複数の収納部の各々に収納されて、前記複数の収納部の各々に形成された前記第１開口部を通じて電源供給部材が挿入されるように形成されて前記第１開口部と同一又は小さな面積を有する第２開口部が形成された基板挿入部及び前記固定部本体を基準にして前記第１方向の反対方向である第２方向に突出してランプを固定するランプ固定部を有するホルダ本体、及び前記ホルダ本体内部に配置され前記電源供給部材と前記ランプとを電気的に接続する導電ソケットを具備したランプホルダと、
を含み、
前記導電ソケットは、
前記基板挿入部が前記複数の収納部の各々に収納されることによって形成された挿入空間に配置され前記電源供給部材の電源印加端子と電気的に接続される第１接続部と、
前記第１接続部から延長され前記ランプ固定部内に配置され、前記ランプの電源リード線と電気的に接続される第２接続部と、
を含み、
前記複数の収納部は前記第２方向に各々開口されて、前記ランプホルダを収納し、前記ランプホルダを収納する収納空間は前記第１開口部との間に介在された前記固定部本体によって前記第１開口部から分離されることを特徴とするランプ固定ユニット。
【請求項２】
前記複数の収納部は、前記固定部本体の長手方向に沿って一定の間隔で形成されることを特徴とする請求項１記載のランプ固定ユニット。
【請求項３】
前記第１接続部は、
前記電源印加端子の上面と接する第１端子と、
前記電源印加端子の下面と接する第２端子と、
前記第１及び第２端子を電気的に接続しながら前記第２接続部に延長された第３端子と、
を含むことを特徴とする請求項１記載のランプ固定ユニット。
【請求項４】
前記第１端子は、前記電源印加端子とほぼ平行に形成され、前記第２端子は前記第１端子に向かって弾性力を有するように折り曲げられることを特徴とする請求項３記載のランプ固定ユニット。
【請求項５】
前記第１及び第２端子のうち少なくとも一つは、前記電源印加端子で膨らむように形成されて弾性力を有することを特徴とする請求項３記載のランプ固定ユニット。
【請求項６】
前記第１及び第２端子は、前記第２開口部の近くに丸みを帯びるように折り曲げられて弾性力を有することを特徴とする請求項３記載のランプ固定ユニット。
【請求項７】
収納容器と、
前記収納容器に互いにほぼ平行に収納され、それぞれの一端には電源リード線が形成され、他端にはアースリード線が形成された複数のランプと、
前記電源リード線を支持するように配置され、固定部本体及び前記固定部本体から第１方向に突出した複数の収納部を含み、前記複数の収納部の各々は一側に形成された第１開口部を含む、固定部材と、前記複数の収納部の各々に収納されて、前記複数の収納部の各々に形成された前記第１開口部を通じて電源供給部材が挿入されるように形成されて前記第１開口部と同一又は小さな面積を有する第２開口部が形成された基板挿入部及び前記固定部本体を基準にして前記第１方向の反対方向である第２方向に突出して前記複数のランプの端部を固定するランプ固定部を有するホルダ本体、及び前記ホルダ本体内部に配置され前記電源供給部材と前記複数のランプとを電気的に接続する第1導電ソケットを具備した第１ランプホルダを有する第１ランプ固定ユニットと、
前記アースリード線に電気的に接続するように前記収納容器に結合される整列板、及び前記整列板に配置固定され、絶縁部本体及び前記絶縁部本体内に挿入され前記アースリード線と前記整列板とを電気的に接続する第２導電ソケットを有する複数の第２ランプホルダを有する第２ランプ固定ユニットと、
前記収納容器の背面に配置され、前記第１ランプ固定ユニットに挿入固定され前記第１導電ソケットを通じて前記電源リード線と電気的に接続される電源供給部材と、
を含み、
前記第1導電ソケットは、
前記基板挿入部が前記複数の収納部の各々に収納されることによって形成された挿入空間に配置され前記電源供給部材の電源印加端子と電気的に接続されて前記ランプを駆動するランプ駆動電圧が印加される第１接続部と、
前記第１接続部から延長され前記ランプ固定部内に配置され、前記ランプの電源リード線と電気的に接続され前記複数のランプに前記ランプ駆動電圧を印加する第２接続部と、
を含み、
前記複数の収納部は前記第２方向に各々開口されて、前記ランプホルダを収納し、前記ランプホルダを収納する収納空間は前記第１開口部との間に介在された前記固定部本体によって前記第１開口部から分離されることを特徴とするバックライトアセンブリ。
【請求項８】
前記整列板は、少なくとも２つ以上の前記アースリード線と結合されることを特徴とする請求項７記載のバックライトアセンブリ。
【請求項９】
前記整列板は、
前記収納容器に結合される容器結合部と、
前記第１ランプホルダに挿入固定されるホルダ固定部と、
を含むことを特徴とする請求項８記載のバックライトアセンブリ。
【請求項１０】
前記整列板は、前記収納容器と結合されることを特徴とする請求項９記載のバックライトアセンブリ。
【請求項１１】
前記第２導電ソケットは、
前記アースリード線と接続される第３接続部と、
前記第３接続部から曲げられて形成され、前記ホルダ固定部と電気的に接続される第４接続部と、
を含むことを特徴とする請求項１０記載のバックライトアセンブリ。
【請求項１２】
前記絶縁部本体は、
前記第３接続部を保護し、前記ランプを固定するランプ固定部と、
前記第４接続部を保護し、前記ホルダ固定部と結合され固定される本体結合部と、
を含むことを特徴とする請求項１１記載のバックライトアセンブリ。
【請求項１３】
前記第４接続部は端部分が開口されたリング形状の結合端子を含み、前記ホルダ固定部は下面から突出し前記結合端子に結合される突出端子を含むことを特徴とする請求項１２記載のバックライトアセンブリ。
【請求項１４】
前記結合端子は、前記突出端子の両面を加圧する加圧部を含むことを特徴とする請求項１３記載のバックライトアセンブリ。
【請求項１５】
前記ホルダ固定部は下面から突出し固定ホールが形成された突出端子を含み、前記第４接続部は前記固定ホールに挿入され前記ホルダ固定部に固定される結合端子を含むことを特徴とする請求項１２記載のバックライトアセンブリ。
【請求項１６】
前記第４接続部は、前記ホルダ固定部と反対方向に突出し前記本体結合部によって加圧される少なくとも２つの突出部を有する結合端子を含むことを特徴とする請求項１２記載のバックライトアセンブリ。
【請求項１７】
前記第４接続部は、前記本体結合部より長く延長された結合端子を含むことを特徴とする請求項１２記載のバックライトアセンブリ。
【請求項１８】
前記結合端子は、前記ホルダ固定部に圧着される圧着部を含むことを特徴とする請求項１７記載のバックライトアセンブリ。
【請求項１９】
前記結合端子は、前記ホルダ固定部の側面に沿って延長され前記側面に固定される延長部を含むことを特徴とする請求項１７記載のバックライトアセンブリ。
【請求項２０】
前記第４接続部は前記ホルダ固定部に突出した突出部を有する結合端子を含み、前記ホルダ固定部は組立の際に前記突出部に接触するように位置する陥没端子を含むことを特徴とする請求項１２記載のバックライトアセンブリ。
【請求項２１】
前記突出部は、丸みを帯びた形状を有することを特徴とする請求項２０記載のバックライトアセンブリ。
【請求項２２】
前記電源供給部材は、
前記ランプを駆動する前記ランプ駆動電圧を生成する電源供給基板と、
前記固定部材と向き合う前記電源供給基板の側面から突出し、前記第１及び第２開口部を通じて前記ランプ駆動電圧を前記第１導電ソケットに印加する電源印加端子と、
を含むことを特徴とする請求項７記載のバックライトアセンブリ。
【請求項２３】
前記電源印加端子は、前記第１接続部と接続されることを特徴とする請求項２２記載のバックライトアセンブリ。
【請求項２４】
光を供給するバックライトアセンブリと、
前記バックライトアセンブリの上に配置され画像を表示する液晶表示パネルと、
前記液晶表示パネルの端部位を固定しながら前記バックライトアセンブリと結合されるトップシャーシと、
を含み、
前記バックライトアセンブリは
前記トップシャーシと結合される収納容器と、
前記収納容器に互いにほぼ平行に収納され、それぞれの一端には電源リード線が形成され、他端にはアースリード線が形成された複数のランプと、
前記電源リード線を支持するように配置され、固定部本体及び前記固定部本体から第１方向に突出した複数の収納部を含み、前記複数の収納部の各々は一側に形成された第１開口部を含む、固定部材と、前記複数の収納部の各々に収納されて、前記第１開口部を通じて電源供給部材が挿入されるように形成されて前記第１開口部と同一又は小さな面積を有する第２開口部が形成された基板挿入部及び前記固定部本体を基準にして前記第１方向の反対方向である第２方向に突出して前記複数のランプの端部を固定するランプ固定部を有するホルダ本体、及び前記ホルダ本体内部に配置され前記電源供給部材と前記複数のランプとを電気的に接続する第1導電ソケットを具備した第１ランプホルダを有する第１ランプ固定ユニットと、
前記アースリード線に電気的に接続されるように前記収納容器に結合される整列板、及び前記整列板に配置固定され、絶縁部本体及び前記絶縁部本体内に挿入され前記アースリード線と前記整列板とを電気的に接続する第２導電ソケットを有する複数の第２ランプホルダを有する第２ランプ固定ユニットと、
前記収納容器の背面に配置され、前記第１ランプ固定ユニットに挿入固定され前記第１導電ソケットを通じて前記電源リード線と電気的に接続される電源供給部材と、
を含み、
前記第1導電ソケットは、
前記基板挿入部が前記複数の収納部の各々に収納されることによって形成された挿入空間に配置され前記電源供給部材の電源印加端子と電気的に接続されて前記ランプを駆動するランプ駆動電圧が印加される第１接続部と、
前記第１接続部から延長され前記ランプ固定部内に配置され、前記ランプの電源リード線と電気的に接続され前記複数のランプに前記ランプ駆動電圧を印加する第２接続部と、
を含み、
前記複数の収納部は前記第２方向に各々開口されて、前記ランプホルダを収納し、前記ランプホルダを収納する収納空間は前記第１開口部との間に介在された前記固定部本体によって前記第１開口部から分離されることを特徴とする液晶表示装置。
【請求項２５】
前記トップシャーシは、前記整列板と電気的に接続されることを特徴とする請求項２４記載の液晶表示装置。
【発明の詳細な説明】
【技術分野】
【０００１】
本発明はランプ固定ユニット、それを有するバックライトアセンブリ及び液晶表示装置に係り、さらに詳細にはランプホルダと電源供給部材の結合及び分離を容易にしながらランプを簡便に接地させることができるランプ固定ユニット、それを有するバックライトアセンブリ及び液晶表示装置に関する。
【背景技術】
【０００２】
液晶表示装置は、一般的に、画像を表示する液晶表示パネル及び液晶表示パネルに光を供給するバックライトアセンブリを含む。
【０００３】
バックライトアセンブリは液晶表示装置が大型表示装置に使用される場合、収納容器、収納容器に互いに平行に配置され一端には電源リード線が形成され、他端にはアースリード線が形成された複数のランプ、電源リード線に対応したランプの端部を固定しながら電源リード線に駆動電源を印加するランプホルダ、及びランプホルダに電気的に接続され駆動電源を供給する電源供給基板を含む。
【０００４】
ここで、ランプホルダは電源供給基板と別途の電源線によって電気的に接続される。具体的には、電源線はランプホルダと電源供給基板とにそれぞれ半田付けされる。
【０００５】
しかし、このような半田付けはランプホルダまたは電源供給基板の不良による交換作業の際、煩わしい問題点がある。
【０００６】
また、アースリード線は別途のアース線によって収納容器に接地される。ここで、アース線は一端がアースリード線に半田付けされ、他端は収納容器にボルトで結合されアースリード線が収納容器に接地されるようにする。
【０００７】
しかし、このような接地プロセスは半田付け及びボルトによる結合のような手作業を通じて行われるので、作業の煩わしい問題点があった。
【発明の開示】
【発明が解決しようとする課題】
【０００８】
従って、本発明はこのような問題点から鑑み出されたもので、本発明の一目的はランプホルダと電源供給部材との結合及び分離を容易にしながらランプを簡便に接地させることができるランプ固定ユニットを提供することにある。
【０００９】
本発明の他の目的はランプ固定ユニットを有するバックライトアセンブリを提供することにある。
【００１０】
本発明のさらに他の目的は前記ランプ固定ユニットを有する液晶表示装置を提供することにある。
【課題を解決するための手段】
【００１１】
上述した本発明の一実施形態によるランプ固定ユニットは、固定部材及びランプホルダを含む。固定部材は固定本体及び固定部本体から第１方向に突出して一側に第１開口部が形成された少なくとも一つの収納部を含む。ランプホルダは収納部に収納され第１開口部を通じて電源供給部材が挿入されるように第２開口部が形成された基板挿入部及び固定部本体を基準にして第１方向の反対方向である第２方向に突出してランプを固定するランプ固定部を有する。ホルダ本体、及びホルダ本体内部に配置され電源供給部材とランプを電気的に接続する導電ソケットを具備する。
【００１２】
収納部は、固定部本体の長さ方向に沿って一定の間隔で複数個形成されてもよい。
【００１３】
導電ソケットは、基板挿入部内に配置され電源供給部材の電源印加端子と電気的に接続される第１接続部と、第１接続部から延長されランプ固定部内に配置され、ランプの電源リード線と電気的に接続される第２接続部と、を含んでもよい。
【００１４】
ここで、第１接続部は、電源印加端子の上面と接する第１端子と、電源印加端子の下面と接する第２端子と、第１及び第２端子を電気的に接続しながら前記第２接続部に延長された第３端子と、を含んでもよい。
【００１５】
第１端子は、電源印加端子とほぼ平行に形成され、第２端子は第１端子に向かって弾性力を有するように折り曲げられてもよい。これとは異なり、第１及び第２端子のうち少なくとも一つは電源印加端子で膨らんでいるように形成されて弾性力を有してもよい。また、第１及び第２端子は第２開口部の近くで丸みを帯びるように折り曲げられ弾性力を有してもよい。
【００１６】
上述した本発明の一実施形態によるバックライトアセンブリは、収納容器、ランプ、第１ランプ固定ユニット、第２ランプ固定ユニット及び電源供給部材を含む。ランプは複数個からなり、収納容器に互いにほぼ平行に収納され、一端には電源リード線が形成され、他端にはアースリード線が形成される。第１ランプ固定ユニットは電源リード線を支持するように配置され、固定部材及び固定部材に収納されランプの端部を固定し、内部に第１導電ソケットが配置される。第２ランプ固定ユニットはアースリード線に電気的に接続されるように収納容器に結合される整列板、及び整列板に配置固定され、絶縁部本体及び絶縁部本体内に挿入されアースリード線と整列板とを電気的に接続する第２導電ソケットを有する複数の第２ランプホルダを有する。電源供給部材は収納容器の背面に配置され、第１ランプ固定ユニットに挿入固定され第１導電ソケットを通じて電源リード線と接続される。
【００１７】
固定部材は固定ユニット及び固定部本体から第１方向に突出して一側に第１開口部が形成された少なくとも一つの収納部を含んでもよい。また、第１ランプホルダは収納部に収納容され第１開口部を通じて電源供給部材が挿入されるように第２開口部が形成された基板挿入部及び固定部本体を基準にして第１方向の反対方向である第２方向に突出してランプを固定するランプ固定部を有しながら内部に第１導電ソケットが配置されたホルダ本体をさらに含んでもよい。
【００１８】
整列板は２つ以上の前記アースリード線と接続してもよい。このような整列板は収納容器に結合される容器結合部、及び第１ランプホルダが挿入固定されるホルダ固定部を含んでもよい。また、整列板は収納容器と結合されてもよい。
【００１９】
第２導電ソケットはアースリード線と接続される第１接続部及び第１接続部から曲げられて形成され、ホルダ固定部と電気的に接続される第２接続部を含んでもよい。絶縁部本体は第１接続部を保護し、ランプが固定されるランプ固定部及び第２接続部を保護し、ホルダ固定部と結合され固定される本体結合部を含んでもよい。
【００２０】
ここで、第２接続部は端部分が開口されたリング形状の結合端子を含み、ホルダ固定部は下面から突出し結合端子に結合される突出端子を含んでもよい。また、結合端子は突出端子の両面を加圧する加圧部を含んでもよい。
【００２１】
これとは異なり、ホルダ固定部は下面から突出し中央に固定ホールが形成された突出端子を含み、第２接続部は固定ホールに挿入固定される結合端子を含んでもよい。また、第２接続部は、ホルダ固定部と反対方向に突出し本体結合部によって加圧される少なくとも２つの突出部を有する結合端子を含んでもよい。
【００２２】
また、第２接続部は本体結合部より長く延長された結合端子を含んでもよい。ここで、結合端子は前記ホルダ固定部に圧着される圧着部を含んでもよい。これとは異なり、結合端子は、ホルダ固定部の側面に沿って延長され側面に固定される延長部を含んでもよい。
【００２３】
第２接続部は、ホルダ固定部に突出した突出部を有する結合端子を含み、ホルダ固定部は組立の際に突出部に接触するように位置する陥没端子を含んでもよい。突出部は丸みを帯びた形状を有してもよい。
【００２４】
一方、電源供給部材はランプを駆動するランプ駆動電圧を生成する電源供給基板、及び固定部材と向き合う電源供給基板の側面から突出し、第１及び第２開口部を通じてランプ駆動電圧を第１導電ソケットに印加する電源印加端子を含んでもよい。
【００２５】
第１導電ソケットは基板挿入部内に配置され電源印加端子からランプ駆動電圧が印加される第１接続部、及び第１接続部から延長されランプ固定部内に配置され、電源リード線と電気的に接続されランプにランプ駆動電圧を印加する第２接続部を含んでもよい。
【００２６】
ここで、電源印加端子は第１接続部と接続されてもよい。
【００２７】
上述した本発明の一実施形態による液晶表示装置は、光を供給するバックライトアセンブリと、バックライトアセンブリの上に配置され画像を表示する液晶表示パネルと、液晶表示パネルの端部位を固定しながらバックライトアセンブリと結合されるトップシャーシと、を含む。バックライトアセンブリはトップシャーシと結合される収納容器と、収納容器に互いにほぼ平行に収納され、一端には電源リード線が形成され、他端にはアースリード線が形成された複数のランプと、電源リード線を支持するように配置され、固定部材及び固定部材に収納されランプの端部を固定し、内部に第１導電ソケットが配置された第１ランプホルダを有する第１ランプ固定ユニットと、アースリード線に電気的に接続されるように収納容器に結合される整列板、及び整列板に配置固定され、絶縁部本体及び絶縁部本体内に挿入されアースリード線と整列板とを電気的に接続する第２導電ソケットを有する複数の第２ランプホルダを有する第２ランプ固定ユニットと、収納容器の背面に配置され、第１ランプ固定ユニットに挿入固定され第１導電ソケットを通じて電源リード線と電気的に接続される電源供給部材と、を含む。
【００２８】
ここで、トップシャーシは、整列板と電気的に接続されてもよい。
【００２９】
上述したように、電源供給部材の電源印加端子が第１及び第２開口部を通じて第１接続部と電気的に接続されることで、電源供給部材がランプホルダに結合及び分離されることを容易にすることができ、収納容器に金属を含む整列板（アレイプレート）を結合させた後、第１ランプホルダの導電ソケットを用いてアースリード線と整列板とを電気的に接続させることで、アースリード線をより簡便に収納容器に連結させ、接地させることができる。
【発明を実施するための最良の形態】
【００３０】
以下、図面を参照して、本発明の好ましい実施形態をより詳細に説明する。
【００３１】
図１は本発明の一実施例によるランプ固定ユニットを分解した斜視図であり、図２は図１に示されたランプ固定ユニットを結合して下から見た斜視図であり、図３は図２に示されたランプホルダを示した斜視図である。
【００３２】
図１乃至図３を参照すると、本発明の一実施例によるランプ固定ユニット１００は固定部材２００、複数のランプホルダ３００を含む。
【００３３】
固定部材２００は固定部本体２１０及び固定部本体２１０に垂直な第１方向ｘに突出し、第１方向ｘと反対の第２方向ｙに開口され収納空間２２２を形成する少なくとも一つの収納部２２０を含む。
【００３４】
収納部２２０は固定部本体２１０の長手方向に沿って一定の間隔を空けて複数個配置される。このような固定部材２００は、例えば、絶縁性及び加工性の優れた樹脂材質からなる。
【００３５】
各ランプホルダ３００はホルダ本体３１０及びホルダ本体３１０に挿入された導電ソケット３４０を含む。各ランプホルダ３００はホルダ本体３１０によって外形が決定され、例えば、四角柱形状を有する。
【００３６】
ホルダ本体３１０は、電気絶縁性の優れた樹脂を含んでもよく、導電ソケット３４０は外部に配置される電源供給部材からランプ５００の端部に形成されたリード線５１０にランプ駆動電圧を印加するために電気伝導性の優れた金属を含んでもよい。それにより、ホルダ本体３１０は導電ソケット３４０を取り囲んで電気的に保護する役割をする。
【００３７】
ホルダ本体３１０は収納部２２０に収納される基板挿入部３２０及び固定部本体２１０を基準にして第２方向ｙに突出しランプ５００を固定するランプ固定部３３０を含む。例えば、ランプ固定部３３０がホルダ本体３１０の上部に形成されていると仮定する場合、基板挿入部３２０はホルダ本体３１０の下部に形成される。
【００３８】
このように、ランプホルダ３００の基板挿入部３２０が収納部２２０の収納空間２２２に収納されることで、ランプホルダ３００が一定の間隔で配置されてもよい。
【００３９】
ランプ固定部３３０は円筒形状のランプ５００を固定するために丸みを帯びた固定溝３３２を有する。固定溝３３２には非常に弱いガラス管であるランプ５００が配置されるので、固定溝３３２に所定の緩衝作用を有する物質を塗布してランプ５００の破損を防止してもよい。
【００４０】
固定部材２００には収納部２２０の片側に収納空間２２２を露出させるための第１開口部２２３が形成される。ここで、第１開口部２２３は収納部２２０の一側面に形成される。また、基板挿入部３２０には第１開口部２２３に対応する側面に第２開口部３２５が形成される。これは、基板挿入部３２０が収納部２２０に収納されるときに形成される挿入空間を外部に露出させるためである。
【００４１】
また、第２開口部３２５は第１開口部２２３と同一か小さい面積を有する。これは、図１０乃至図１２を参照して説明する電源供給部材の電源印加端子が第２開口部３２５の外側にある第１開口部２２３によって影響されずに第２開口部３２５に挿入できるようにするためである。これとは異なり、第２開口部３２５は製品の大きさや作業の便宜などのために第１開口部２２３より広い面積を有してもよい。
【００４２】
基板挿入部３２０は、ランプ固定部３３０の下部と結合される結合部３２２、結合部３２２から第１方向ｘに垂直に突き出され第２開口部３２５が形成された第１側壁３２４、第１側壁３２４の一端から第１側壁３２４に対して垂直方向に延長され結合部３２２と連結される第２側壁３２６及び第２側壁３２６に対向し、第１側壁３２４の他端から第１側壁３２４に対して垂直に延長された第３側壁３２７を含む。
【００４３】
結合部３２２は一般的に、ランプ固定部３３０と一体型に形成される。これとは異なり、ランプ固定部３３０は結合部３２２、即ち、基板挿入部３２０と別途で製作された後、接着されてもよい。この場合、ランプホルダ３００の不良発生の際、基板挿入部３２０及びランプ固定部３３０のうちいずれか一つのみ交換すればよいので、ランプホルダ３００の保持補修費用を節減することができる。
【００４４】
結合部３２２はランプ固定部３３０、第１、第２及び第３側壁３２４、３２６、３２７より相対的に広い面積を有する。即ち、結合部３２２の端部はランプ固定部３３０、第１、第２及び第３側壁３２４、３２６、３２７より外郭方向に突出した形状を有する。一方、収納部２２０は内部に結合部３２２の突出した部分に対応して段差部２２４が形成される。
【００４５】
これにより、基板挿入部３２０が収納部２２０に収納される際、結合部３２２が段差部２２４と結合することで、収納部２２０の深さに関係なくランプホルダ３００が常に一定の深さで収納できるようにすることができる。即ち、基板挿入部３２０は第１、第２及び第３側壁３２４、３２６、３２７と収納部２２０との間に形成される空間内で動くことが防止される。
【００４６】
基板挿入部３２０の第２及び第３側壁３２６、３２７の外面にフック３２８が形成される。また、収納部２２０にはフック３２８と結合される結合溝２２５が形成される。これにより、基板挿入部３２０が収納部２２０に挿入される際、フック３２８が結合溝２２５に結合されることで、第２方向ｙにランプホルダ３００が動かないようにすることができる。即ち、上記メカニズムにより、ランプホルダ３００と固定部材２００との結合力を強化させることができる。
【００４７】
このように、ランプホルダ３００は基板挿入部３２０が固定部材２００の収納部２２０に収納されるとき、基板挿入部３２０の結合部３２２及びフック３２８が収納部２２０の段差部２２４及び結合溝２２５に結合されることで、固定部材２００にランプホルダ３００をより強固に固定させることができる。
【００４８】
また、ランプホルダ３００は導電ソケット３４０をホルダ本体３１０内に挿入した後、導電ソケット３４０を外部に抜けないように固定するホルダキャップ４００をさらに含んでもよい。ホルダキャップ４００は一般的に、ホルダ本体３１０とフック結合方式によって固定される。また、ホルダキャップ４００はランプ５００のリード線５１０と電気的に接続する導電ソケット３４０の第２接続部３６０を加圧して電源リード線５１０と第２接続部３６０とをより強い結合力で接続できるようにする。
【００４９】
図４は図２のＩ−Ｉ´線に沿って切断した本発明の第１実施例による導電ソケットを示す断面図であり、図５は図４に示された導電ソケットを示した斜視図である。
【００５０】
図４及び図５を参照すると、ランプホルダ３００の導電ソケット３４０は基板挿入部３２０内に配置された第１接続部３５０及びランプ固定部３３０内に配置された第２接続部３６０を含む。
【００５１】
第１接続部３５０は電源供給部材７２０の電源印加端子７２４と電気的に連結される。第１接続部３５０は、基板挿入部３２０が固定部材２００の収納部２２０に収納されることで形成された挿入空間３２９に配置される。ここで、結合部３２２にほぼ垂直な第１、第２及び第３側壁３２４、３２６、３２７のみでは空間の全面を覆うことができないので挿入空間３２９を定義できないが、基板挿入部３２０が収納部２２０の収納空間２２２に収納される際に挿入空間３２９は形成される。
【００５２】
即ち、挿入空間３２９は収納部２２０に形成された収納空間２２２に形成される。挿入空間３２９は基板挿入部３２０の第１側壁３２４に形成された第１開口部２２３及び収納部２２０に形成された第２開口部３２５によって外部に露出される。それにより、第１接続部３５０も外部に露出される。
【００５３】
第１接続部３５０は挿入空間３２９の上側に配置された第１端子３５２、挿入空間３２９の下側に配置された第２端子３５６及び第１端子３５２と第２端子３５６の片側から延び、第２接続部３６０に連結される第３端子３５８を含む。ここで、第３端子３５８は第１及び第２端子３５２、３５６の両側のうち基板挿入部３２０の第１側壁３２４に対向する側に形成される。
【００５４】
第１端子３５２は電源印加端子７２４の上面に接する。即ち、第１端子３５２は第３端子３５８から結合部３２２の下面３２３に沿って延長され、電源印加端子７２４とほぼ平行に配置される。
【００５５】
第２端子３５６は電源印加端子７２４の下面に接する。第２端子３５６は電極下印加端子７２４とほぼ平行な方向に沿って折り曲げられてある一定の弾性力を有する。即ち、第２端子３５６は第３端子３５８から収納部２２０の底面２２６に沿って延長された第１延長部３５３、第１延長部３５３の端から反対方向に折曲されて延長された第２延長部３５４及び第２延長部３５４の端から第１端子３５２に膨らんでいる形状を有しながら延長された第３延長部３５５を含む。
【００５６】
ここで、第３延長部３５５は弓形の形状を有する。これにより、第３延長部３５５は第２方向ｙに弾性力を有する。具体的に、第３延長部３５５は外部から第１方向ｘに力が加えられると、弾性力によって第２方向ｙに力が作用する。また、第２延長部３５４も第３延長部３５５よりは小さいが第３延長部３５５と同一の方向に弾性力を有する。この際、第１延長部３５３は収納部２２０の底面２２６に密着され第２延長部３５４と第３延長部３５５が弾性力を有するように支持する役割をする。
【００５７】
従って、第３延長部３５５は、挿入空間３２９に挿入される電源供給部材７２０の電源印加端子７２４との接続の際、接続力を強化し、電源印加端子７２４が挿入された後、外部に容易に抜かれないようにすることができる。この際、第３延長部３５５と第１端子３５２との間の距離ｄ１は、電源印加端子７２４の厚さｔより小さくなければならない。これは、第２端子３５６の第３延長部３５５が有する弾性力を有効にするためである。
【００５８】
一方、前記弾性力は第３延長部３５５と第１端子３５２との間の距離ｄ１を小さくするほど強くなり、大きくするほど弱くなる。即ち、使用者は第３延長部３５５と第１端子３５２との距離ｄ１を任意で調節して電源印加端子７２４を適切に固定することができる。
【００５９】
第３延長部３５５は電源印加端子７２４の挿入を容易にするために丸みを帯びた形状を有する。これとは異なり、第３延長部３５５は電源印加端子７２４の挿入の後、結合力を強化するために角のある形状を有してもよい。また、製品の大きさが小さい場合には第２延長部３５４を除去して第３延長部３５５と第１延長部３５３の端とを連結してもよい。さらにこれとは異なり、第１端子３５２及び第２端子３５６は製品の特徴により互いに逆の形状を有してもよい。
【００６０】
第２接続部３６０は第１接続部３５０の第３端子３５８から延長され、ランプ５００のリード線５１０と電気的に接続される。第２接続部３６０はランプ固定部３３０に近接するように形成される。具体的には、ランプ固定部３３０はランプホルダ３００の第１の側ａからランプ５００が挿入されるように形成され、第２接続部３６０はランプホルダ３００の第１の側ａと反対側である第２の側ｂに対応して形成される。
【００６１】
一方、第１及び第２開口部２２３、３２５は第１の側ａに対応して形成される。即ち、ランプ５００及び電源印加端子７２４はランプホルダ３００の第１の側ａから挿入され、結合される。 
【００６２】
このように、第１接続部３５０は第２端子３５６の第３延長部３５５の弾性力を用いて電源印加端子７２４を固定することで、電源供給部材７２０で生成されたランプ駆動電圧を第１及び第２端子３５２、３５６から第３端子３５８を通じて第２接続部３６０及びランプ５００のリード線５１０に印加してランプ５００で光が発生するようにする。
【００６３】
図６は図２のＩ−Ｉ´線に沿って切断した本発明の第２実施例による導電ソケットを示した断面図であり、図７は図６に示された導電ソケットを示した斜視図である。
【００６４】
図６及び図７を参照すると、導電ソケット３７０の第１接続部３７５の第１及び第２端子３７６、３７７は挿入空間３７１の中央、又は、挿入空間に挿入された場合における電源印加端子７２４の中央で膨らんでいる形状を有する。
【００６５】
第１及び第２端子３７６、３７７は、挿入空間３７１でそれぞれ結合部３７２の下面３７３と収納部２３０の底面２３２とに対応して形成される。具体的には、第１端子３７６は結合部３７２の下面から収納部２３０の底面２３２に膨らんでいる形状を有し、第２端子３７７は収納部２３０の底面２３２から結合部３７２の下面３７３に膨らんでいる形状を有する。
【００６６】
即ち、第１及び第２端子３７６、３７７は弓形の形状を有し、互いに対称な構造を有する。また、第１及び第２端子３７６、３７７は丸みを帯びた形状を有する。これとは異なり、第１及び第２端子３７６、３７７は角のある形状を有してもよい。
【００６７】
第１及び第２端子３７６、３７７は互いに反対方向に弾性力を有する。即ち、第１端子３７６は第２方向ｙに加えられる力によって、第２端子３７７は第１方向ｘに加えられる力によって弾性力を有する。第１端子３７６及び第２端子３７７の弾性力をより強化させるために、第１及び第２端子３７６、３７７の内側には別途の弾性部材が配置されてもよい。
【００６８】
第１及び第２端子３７６、３７７の間の距離ｄ２は第１及び第２開口部２３４、３７５を通じて挿入空間３７１に挿入される電源印加端子７２４の厚さｔより小さくなければならない。
【００６９】
また、第１及び第２端子３７６、３７７は、第１及び第２方向ｘ、ｙに加えられる力によって長手方向の長さが増えることで、第１及び第２端子３７６、３７７の端と基板挿入部３７０の第１側壁３７４との間には所定の空間が確保される。
【００７０】
従って、第１及び第２端子３７６、３７７は、電源印加端子７２４によって第１及び第２方向ｘ、ｙに力が加えられるとき、弾性力が作用して電源印加端子７２４をより強固に固定することができる。従って、第１及び第２端子３７６、３７７は電源印加端子７２４と電気的に安定的に接続される。
【００７１】
図８は図２のＩ−Ｉ´線に沿って切断した本発明の第３実施例による導電ソケットを示した断面図であり、図９は図８の導電ソケットを示した斜視図である。
【００７２】
図８及び図９を参照すると、導電ソケット３８０の第１接続部３８２は第２開口部３９２の近くで丸みを帯びるように折り曲げられた第１及び第２端子３８３、３８６を含む。
【００７３】
第２端子３８６は第３端子３８９から収納部２４０の底面２４２に沿って延長された第１延長部３８７と、第１延長部３８７の端から第２開口部３９２に丸みを帯びるように折り曲げられた第２延長部３８８とを有する。
【００７４】
第２端子３８６は、平らな板の端部分のみが丸みを帯びるように曲げられ、第１延長部３８７と第２延長部３８８とが形成される。この際、第２端子３８６は一般的に、その大きさが小さいので、ベンディング機のような工作機械よりはプライヤのような小型工具を用いて形成されてもよい。
【００７５】
第２延長部３８８は丸みを帯びた形状によって第１方向ｘに加えられる力に対して弾性力を有するようになる。この際、第１延長部３８７は収納部２４０の底面２４２に密着され第２延長部３８８が弾性力を有するように支持する役割をする。また、第２延長部３８８は長さ及び湾曲の程度によって弾性力が異なるようにしてもよい。
【００７６】
導電ソケット３８０は、第３端子３８９から基板挿入部３９０の結合部３９４の下面３９５に沿って延長された第３延長部３８４と、第３延長部３８４の端から第２開口部３９２に丸みを帯びるように折り曲がられた第４延長部３８５とを有する第１端子３８３をさらに含む。
【００７７】
第１端子３８３は、第２端子３８６とほぼ対称的な構造を有する。即ち、第１端子３８３の第４延長部３８５が第１方向ｘに丸みを帯びるように折り曲げられるとすると、第２端子３８６はこれとは反対に、第２延長部３８８が第２方向ｙに丸みを帯びるように折り曲げられる構図を有する。
【００７８】
これにより、第１及び第２端子３８３、３８６は第４延長部３８５と第２延長部３８８との間に弾力的な空間を形成し、第１及び第２開口部２４４、３９２を通じて挿入される電源印加端子７２４を固定することができる。
【００７９】
また、第２延長部３８８及び第４延長部３８５は第２開口部３９２に近接するように形成されているので、電源印加端子７２４が挿入される深さが浅くても効果的に固定することができる。この際、第２延長部３８８と第４延長部３８５との間の距離ｄ３は電源印加端子７２４の厚さｔより小さくなければならない。
【００８０】
図１０は本発明の一実施例によるバックライトアセンブリを示した斜視図であり、図１１は図１０に示されたランプ、第１ランプ固定ユニット及び電源供給部材を示した斜視図であり、図１２は図１１のＩＩ−ＩＩ´線に沿って切断した断面図である。
【００８１】
本実施例において、第１ランプ固定ユニットは図１乃至図９で説明したランプ固定ユニットと同一の構造を有するので、同一の参照番号を使用し、重複する詳細な説明は省略する。
【００８２】
図１０乃至図１２を参照すると、本発明の一実施例によるバックライトアセンブリ７００は収納容器７１０、ランプ５００、第１ランプ固定ユニット１００、第２ランプ固定ユニット６００及び電源供給部材７２０を含む。
【００８３】
収納容器７１０は底板７１２及び底板７１２の端部位から垂直に延長された側部７１６を含む。底板７１２には第１ランプ固定ユニット１００の第１ランプホルダ３００を露出させるための複数の第１露出口７１３が形成される。収納容器７１０は、例えば、強度に優れ、電気伝導性の優れた金属材料からなる。
【００８４】
ランプ５００は収納容器７１０に互いにほぼ平行に収納される。ランプ５００の一端には電源リード線５１０が形成され、他端にはアースリード線５２０が形成される。電源リード線５１０には電源供給部材７２０で生成されたランプ駆動電圧が第１ランプ固定ユニット１００を通じて印加される。アースリード線５２０はランプ駆動電圧を一定に保持するために第２ランプ固定ユニット６００を通じて収納容器７１０に連結される。
【００８５】
これにより、ランプ５００は電源供給部材７２０で生成されたランプ駆動電圧に応答して光を発生する。即ち、図３及び図４で言及したランプ５００のリード線５１０は本実施例において電源リード線５１０に該当する。このようなランプ５００は内部に電極が形成された冷陰極蛍光ランプＣＣＦＬである。
【００８６】
第２ランプ固定ユニット６００は、アースリード線５２０に電気的に接続されるように収納容器７１０に結合される整列板（アレイプレート）６１０及び整列板６１０に配置、固定される第２ランプホルダ６２０を含む。
【００８７】
電源供給部材７２０は収納容器７１０の背面、即ち、底板７１２の下面に配置される。電源供給部材７２０は複数の変圧器（図示せず）を含む。これにより、電源供給部材７２０は、外部から印加される電圧をランプ５００から光が発生するようにランプ駆動電圧に変換して、第１ランプホルダ３００及び電源リード線５１０を通じてランプ５００に印加する。
【００８８】
電源供給部材７２０は、電源供給基板７２２及び固定部材２００と向き合う電源供給基板７２２の側面から突出し、第１ランプホルダ３００に結合される複数の電源印加端子７２４を含む。
【００８９】
電源印加端子７２４は第１ランプホルダ３００の個数と同一である。これにより、電源印加端子７２４は第１ランプホルダ３００と一対一で対応して結合される。電源印加端子７２４は電源供給基板７２２から延長されて形成され、露出した電気配線（図示せず）を有する。また、電源印加端子７２４は、第２開口部３２５の断面積と同一であるか僅かに小さい断面積を有する。
【００９０】
電源印加端子７２４は、第１ランプ固定ユニット１００の第１ランプホルダ３００に挿入、固定され第１接続部３５０に接続される。具体的には、電源印加端子７２４が第１ランプホルダ３００の挿入空間３２９に挿入され、第１導電ソケット３４０の第１接続部３５０の第１端子３５２または第２端子３５６に接続される。
【００９１】
また、電源印加端子７２４は、第１接続部３５０の第１端子３５２及び／または第２端子３５６のクランプ力によって固定される。即ち、電源印加端子７２４の上部面及び下部面の両面は、第１端子３５２及び／または第２端子３５６によって加圧されることで固定される。また、第１端子３５２及び第２端子３５６のうちいずれか一つが挿入空間３２９の中央で膨らんでいる形状を有するので、電源印加端子７２４の挿入をより容易にすることができる。
【００９２】
このように、電源供給部材７２０の電源印加端子７２４は、第１端子３５２と第２端子３５６とによって加圧され、電気的に接続され、ランプ駆動電圧が第１接続部３５０の第３端子３５８に供給される。第３端子３５８はランプ駆動電圧を第２接続部３６０及び電源リード線５１０を通じてランプ５００に印加することで、ランプ５００から光が発生するようにする。
【００９３】
従って、電源印加端子７２４を第１及び第２開口部２２３、３２５を通じて挿入空間３２９へ入れたり引き抜いたりする動作で、電源供給部材７２０を簡単に第１導電ソケット３４０の第２接続部３６０と電気的に接続させることで、電源供給部材７２０と第１ランプホルダ３００との結合及び分離を容易にすることができる。
【００９４】
一方、バックライトアセンブリ７００は、ランプ５００と収納容器７１０との間に配置され、ランプ５００から下部に出射される光を反射させる反射部材７３０、ランプ５００の上部に配置され、ランプ５００から出射される光を拡散させる拡散板７４０及び拡散板７４０の上部に配置され、拡散板７４０から出射される光の特性を向上させる光学シート７５０をさらに含んでもよい。
【００９５】
図１３は図１０に示された整列板（アレイプレート）の一部を拡大した斜視図であり、図１４は図１０に示されたランプ、第２ランプ固定ユニット及び収納容器の一部を拡大した斜視図である。
【００９６】
図１０、図１３及び図１４を参照すると、第２ランプ固定ユニット６００の整列板６１０は少なくとも２つのアースリード線５２０に連結する形状を有する。
【００９７】
具体的には、整列板６１０はランプ５００の長さ方向に垂直な方向に沿って長く形成される。これとは異なり、整列板の数がアースリード線５２０の合計よりも少ない場合、第２ランプ固定ユニットは、例えば２つまたは３つの整列板６１０を有してもよい。
【００９８】
整列板６１０は収納容器７１０に電気的に接続される。具体的には、整列板６１０は収納容器７１０の外側に接続される。例えば、整列板６１０は収納容器７１０の背面、即ち、底板７１２の下面に結合されてもよい。これとは異なり、整列板６１０は収納容器７１０の内側に結合されてもよい。
【００９９】
整列板６１０は電気導電性の優れた金属材料を含んでもよい。例えば、整列板６１０は強度の優れたステンレス（以下、ＳＵＳ）を含む。これとは異なり、整列板６１０の製品の特性によって、軽量化が最優先課題で要求されるときはアルミニウム材料を含んでもよい。
【０１００】
整列板６１０は一般的に金型を用いて製作される。これとは異なり、整列板６１０は、製品によって要求される厚さのＳＵＳ板をベンディングマシン、ミリングマシン及び卓上ドリルマシンのような工作機械を用いて製作されてもよい。
【０１０１】
整列板６１０は、収納容器７１０に結合される容器結合部６１２及び第２ランプホルダ６２０が挿入され、固定されるホルダ固定部６１４を含む。例えば、容器結合部６１２はホルダ固定部６１４と互いに交代で形成され、収納容器７１０の背面に結合される。また、ホルダ固定部６１４は容器結合部６１２と段差を有しながら形成されてもよい。
【０１０２】
この場合、ホルダ固定部６１４は、第２ランプホルダ６２０をそれぞれ露出させ、容器結合部６１２が収納容器７１０の背面と結合が容易であるように密着させるために第２露出口７１８を通じて挿入される。ここで、ホルダ固定部６１４の平面積は第２露出口７１８の大きさと同じであるか、僅かに狭く形成される。
【０１０３】
容器結合部６１２は収納容器７１０の背面にボルトで結合される。このようなボルト結合のために、容器結合部６１２には第１結合ホール６１３が形成され、収納容器７１０の底板７１２には第２結合ホール７１４が形成される。これとは異なり、容器結合部６１２と底板７１２とは第１結合ホール６１３及び第２結合ホール７１４を通じてリベットによって結合されてもよい。
【０１０４】
一方、容器結合部６１２及び底板７１２には一般的にそれぞれ一つの第１及び第２結合ホール６１３、７１４が形成されるが、バックライトアセンブリ７００の平面積が大きい場合、複数の第１及び第２結合ホール６１３、７１４が形成されてもよい。
【０１０５】
第２ランプホルダ６２０は、整列板６１０のホルダ固定部６１４に配置され、固定される。具体的には、第２ランプホルダ６２０はホルダ固定部６１４に挿入され、固定される。このために、ホルダ固定部６１４は、側面から所定の深さに陥没した第１挿入溝６１５を含む。即ち、第２ランプホルダ６２０は第１挿入溝６１５に一部が挿入されて固定される。
【０１０６】
第２ランプホルダ６２０は、絶縁部本体６３０及び第２導電ソケット６４０を含む。絶縁部本体６３０は一般的に、電気絶縁性が優れ、加工性が優れた樹脂材料からなる。絶縁部本体６３０は、アースリード線５２０を有するランプ５００の端部を固定するランプ固定部６３２及びホルダ固定部６１４に挿入され、固定される本体結合部６３４を含む。
【０１０７】
ここで、ホルダ固定部６１４は、第１挿入溝６１５の両側部に向かい合う結合溝６１６を含み、結合溝６１６に接続するように配置されたフック６３５を含む本体結合部６３４を含む。これにより、フック６３５がホルダ固定部６１４の結合溝６１６に結合され、本体結合部６３４は、第２ランプホルダ６２０が整列板６１０に挿入されている間、第２ランプホルダ６２０から抜けないようになる。
【０１０８】
第２導電ソケット６４０は絶縁部本体６３０の内部に挿入され、結合される。このため、絶縁部本体６３０はその上部に絶縁部本体６３０に結合または分離されるホルダキャップ６３６を含む。このように、絶縁部本体６３０からホルダキャップ６３６を分離して、第２導電ソケット６４０を上部から挿入することで、第２導電ソケット６４０は絶縁部本体６３０と結合される。
【０１０９】
このように、バックライトアセンブリ７００は、第２ランプホルダ６２０を整列板６１０のホルダ固定部６１４に挿入し、固定させ、ホルダ固定部６１４及び第２ランプホルダ６２０を第２露出口７１８に挿入することで、整列板６１０の容器結合部６１２と収納容器７１０の底板７１２とを電気的に接続させる。
【０１１０】
一方、反射部材７３０は、整列板６１０及び収納容器７１０のボルト結合に緩衝されないように第１及び第２結合ホール６１３、７１４に対する第３結合ホール７３２を含んでもよい。
【０１１１】
図１５は図１４に示した収納容器及び本発明の第１実施例による第２ランプ固定ユニットの分解斜視図である。
【０１１２】
図１５において、第２ランプホルダ及び整列板は図１０、図１３、及び図１４の構図と同一であるので同一の参照番号を使用する。
【０１１３】
図１４及び図１５を参照すると、絶縁部本体６３０の本体結合部６３４が整列板６１０のホルダ固定部６１４の側面、即ち、第１挿入溝６１５からスライドするように挿入されて固定された後、第２ランプホルダ６２０は、収納容器７１０の底板７１２の第２露出口７１８を通じて底板７１２の上部に露出される。
【０１１４】
本体結合部６３４は、第１挿入溝６１５に対応するように形成され第１挿入溝６１５に結合される第２挿入溝６３７をさらに含んでもよい。これにより、本体結合部６３４は第１挿入溝６１５の深さよりさらに深く挿入され、ホルダ固定部６１４により強固に固定されることができる。
【０１１５】
一方、絶縁部体６３０の内部に挿入される第２導電ソケット６４０は、アースリード線５２０及び整列板６１０に電気的に接続する。即ち、第２導電ソケット６４０は、アースリード線５２０に接続される第１接続部６４２及び第１接続部６４２から曲げられて形成された第２接続部６４４を含む。
【０１１６】
第２接続部６４４は、ホルダ固定部６１４の下面６１７に接続される。これとは異なり、第２接続部６４４は、ホルダ固定部６１４の上面に接続されてもよい。また、第２接続部６４４は別途の導電部材によってホルダ固定部６１４に接続されてもよい。これにより、アースリード線５２０と整列板６１０とは第１及び第２接続部６４２、６４４によって電気的に接続される。
【０１１７】
従って、第２ランプホルダ６２０の絶縁部本体６３０の本体結合部６３４をホルダ固定部６１４に挿入し、固定することで、第２導電ソケット６４０の第１及び第２接続部６４２、６４４を通じてアースリード線５２０と整列板６１０とを電気的に接続させることができる。
【０１１８】
即ち、従来のアース線が除去され、半田付け及び／またはボルト結合工程が削除されることで、アースリード線５２０の接地を簡便にすることができる。これにより、半田付け及びボルト結合工程のような手作業が除去されることで、工程自動化の実現に寄与することができる。
【０１１９】
図１６は図１５に示した整列板及び第２ランプホルダの斜視図であり、図１７は図１６に示した整列板及び第２導電ソケットをの斜視図である。
【０１２０】
図１５ないし図１７を参照すると、第２導電ソケット６４０の第２接続部６４４は、端が開口されたリング形状の結合端子６４５を含み、結合端子６４５は開口部を有し、例えば、一端からその中央に向かって延びる鍵穴形状（ｋｅｙｈｏｌｅ）のような切り欠きを有する。ホルダ固定部６１４は結合端子６４５に結合される突出端子６１８を含む。
【０１２１】
突出端子６１８は、ホルダ固定部６１４の下面６１７から突出する。突出端子６１８はホルダ固定部６１４の一部が折り曲げられて形成される。例えば、突出端子６１８は、整列板６１０の金型を変更して切開させた後、ベンディングマシンを用いて曲げることで形成される。これとは異なり、突出端子６１８は別途に形成されてホルダ固定部６１４の下面６１７に接合されてもよい。
【０１２２】
結合端子６４５は、例えば、鍵穴形状のような切り欠きを有しながら、その切り欠きの両端が内側にさらに突出した加圧部６４６を含む。即ち、加圧部６４６は突出端子６１８の両面を加圧する。加圧部６４６は、突出端子６１８の加圧部間への挿入及び突出端子６１８への加圧を容易にするために丸みを帯びた形状を有する。ここで、加圧部６４６の間の距離は、突出端子６１８を加圧するために突出端子６１８の幅より所定の差異で小さく形成される。
【０１２３】
従って、第２接続部６４４の端に加圧部６４６を有する結合端子６４５を形成し、ホルダ固定部６１４の突出端子６１８を加圧することで、より強い結合力で第２接続部６４４を整列板６１０に接続させることができる。即ち、外部からの圧力による第２接続部６４４とホルダ固定部６１４との接続不良が発生することを防止することができる。
【０１２４】
一方、結合端子６４５は、整列板６１０の長手方向沿って結合端子６４５の端部から所定の長さで突出した突出部６４７をさらに含んでもよい。本体結合部６３４には、ホルダ固定部６１４と所定の間隔で離隔され突出部６４７をガイドするガイド溝６３８が形成されてもよい。これとは異なり、ガイド溝６３８はホルダ固定部６１４と接する本体結合部６３４に形成されてもよい。
【０１２５】
図１８は、図１４に示した本発明の第２実施例による第２ランプ固定ユニットで整列板と第２導電ソケットとを結合した斜視図である。
【０１２６】
図１８を参照すると、整列板６５０のホルダ固定部６５１は、固定部６５１の下面６５２から突出し、固定ホール６５４が形成された突出端子６５３を含み、第２導電ソケット６５５の第２接続部６５６は、固定ホール６５４に挿入され、固定部６５１に固定される結合端子６５７を含む。
【０１２７】
突出端子６５３は、両端がホルダ固定部６５１と連結された状態で一部が切開された後、突出することで、固定ホール６５４が形成される。このような突出端子６５３は、整列板６５０の金型製作の際、金型を変更することで形成されてもよい。これとは異なり、突出端子６５３は、プレス機によって第２接続部６５６の接する面と反対側でパンチングすることで形成されてもよい。
【０１２８】
結合端子６５７は、端が固定ホール６５４に挿入されるように相対的に幅が狭く形成される。この際、結合端子６５７の幅をあまりに狭くまたは薄くした場合、折れて短絡する可能性があるため、結合端子６５７は、損傷を避けるために最小限の強度を有する水準の幅を有しなければならない。これとは異なり、突出端子６５３の固定ホール６５４を拡張させる場合は、結合端子６５７は均一な幅であってもよい。
【０１２９】
結合端子６５７の断面は、結合端子６５７と突出端子６５３との接触面を最大にするために固定ホール６５４の形状と同一であってもよい。これとは異なり、結合端子６５７の高さより固定ホール６５４の高さは、突出端子６５３が結合端子６５７を加圧することができる程度低くてもよい。この場合、突出端子６５３と接触するには問題がないので、結合端子６５７の断面は固定ホール６５４の形状と異なってもよく、加工作業の便宜上、結合端子６５７の断面はほぼ同一に形成されてもよい。
【０１３０】
このように、ホルダ固定部６５１は、突出端子６５３の固定ホール６５４に第２接続部６５６の結合端子６５７を簡単に挿入し、固定させることで、第２接続部６５６をホルダ固定部６５１に電気的に接続させることができる。
【０１３１】
図１９は本発明の第３実施例による第２ランプ固定ユニットを結合した斜視図であり、図２０は図１９に示した整列板と導電ソケットを結合した斜視図であり、図２１は図１９のＩＩＩ−ＩＩＩ´線に沿って切断した断面図である。
【０１３２】
図１９乃至図２１を参照すると、第２ランプホルダ６６３の第２導電ソケット６６４に含まれた第２接続部６６５は、整列板６６０のホルダ固定部６６１と反対方向に突出した突出部６６７を有する結合端子６６６を含む。
【０１３３】
突出部６６７は、本体結合部６６８によって加圧される部分であり、少なくとも２つ形成されてもよい。突出部６６７は、本体結合部６６８の加圧面６６９によって加圧される。加圧面６６９は、ホルダ固定部６６１の下面６６２と隣接する。具体的には、結合端子６６６の突出部６６７が、加圧面６６９及びホルダ固定部６６１の下面６６２の間に配置され、加圧面６６９によって加圧されることで、結合端子６６６がホルダ固定部６６１の下面６６２に接触されるようにしてもよい。
【０１３４】
突出部６６７は、ホルダ固定部６６１と約７０°以下の角度θを有しながら突出する。これは、本体結合部６６８と結合端子６６６とがホルダ固定部６６１に挿入されるとき、ホルダ固定部６６１の下面６６２のほぼ垂直方向に所定の弾性を与え、結合端子６６６とホルダ固定部６６１との結合を容易にするためである。
【０１３５】
突出部６６７は、結合端子６６６の両端に形成される。これとは異なり、突出部６６７は結合端子６６６の両側面全体に形成されてもよい。この際、突出部６６７の角度θは、結合端子６６６の端に近づくほど所定の差異で小さくなってもよい。即ち、突出部６６７は、突出部６６７の端においてホルダ固定部６６１と成す角度を突出部６６７の他の位置より小さくしてもよい。これは、本体結合部６６８と結合端子６６６とがホルダ固定部６６１に挿入される際、最初の挿入を容易にするためである。
【０１３６】
このように、第２接続部６６５の結合端子６６６は、突出部６６７によってホルダ固定部６６１と面接触する。第２接続部６６５が広い面積で整列板６６０と接続されることにより、結合端子６６６とホルダ固定部６６１との間の接続抵抗が減少し、第２接続６６５部と整列板６６０とが安定して電気的に接続される。
【０１３７】
図２２は本発明の第４実施例による第２ランプ固定ユニットを結合した斜視図である。
【０１３８】
図２２を参照すると、第２ランプホルダ６７４の第２導電ソケット６７５の第２接続部６７６は、本体結合部６７９より長く延長された結合端子６７７を含む。
【０１３９】
結合端子６７７は、ホルダ固定部６７２に圧着される圧着部６７８を含む。即ち、結合端子６７７は圧着部６７８によってホルダ固定部６７２に接続される。圧着部６７８は、結合端子６７７及びホルダ固定部６７２上に別途の圧着工具またはパンチング器を使用して圧着させることで、形成される。従って、圧着部６７８は、例えば、所定の深さに陥没された形状を有する。一方、ホルダ固定部６７２上に圧着部６７８に対応した圧着目標（ｐｒｅｓｓｕｒｅ  ｍａｒｋｓ）（図示せず）が形成されてもよい。
【０１４０】
このような圧着部６７８は、外部衝撃や、第２ランプホルダ６７４及びホルダ固定部６７２の組立工程におけるずれなどに起因して発生する結合端子６７７とホルダ固定部６７２との接続不良を防止することができる。
【０１４１】
圧着部６７８は、整列板６７０の長手方向に沿って所定の長さ分だけ長く形成される。本実施例によれば、圧着部６７８は圧着工具またはパンチング器によって多様な形状を有してもよい。また、圧着部６７８は本実施例において、一つのみを形成したが、製品の特性及び大きさによって一つ以上形成されてもよい。
【０１４２】
図２３は本発明の第５実施例による第２ランプ固定ユニットを結合した斜視図である。
【０１４３】
図２３を参照すると、第２ランプホルダ６８４は、整列板６８０のホルダ固定部６８２の側面６８３に沿って延長される延長部６８６を有する結合端子６８５を含む。
【０１４４】
延長部６８６は、結合端子６８５の端に形成され、ホルダ固定部６８２の側面６８３に結合される。このために、第２ランプホルダ６８４が整列板６８０のホルダ固定部６８２に挿入され、固定されるとき、結合端子６８５は正確にホルダ固定部６８２の側面６８３まで延長されなければならない。
【０１４５】
万一、結合端子６８５がホルダ固定部６８２の側面６８３に及ばないか、側面６８３を超えると、延長部６８６がホルダ固定部６８２の側面６８３に結合されないことがある。この場合、結合端子６８５とホルダ固定部６８２との電気的な接続に接続不良が発生することがある。勿論、結合端子６８５は延長部６８６の代わりにホルダ固定部６８２と接続されてもよいが、この構造は外部の衝撃や第２ランプホルダ６８４と整列板６８０との組立工程によってはいくらでも短絡されるという不利な点があるので、接続の信頼性を有することができない。
【０１４６】
また、延長部６８６は、第２ランプホルダ６８４がホルダ固定部６８２に結合された後、抜け出さないようにするストッパの役割をするので、第２ランプホルダ６８４と整列板６８０との組立性を向上させることができる。
【０１４７】
図２４は本発明の第６実施例による第２ランプ固定ユニットを結合した斜視図であり、図２５は図２４に示した第２ランプ固定ユニットを結合してＩＶ−ＩＶ´線に沿って切断した断面図である。
【０１４８】
図２４及び図２５を参照すると、第２ランプホルダ６９３の第２接続部６９４は、整列板６９０のホルダ固定部６９１に突出した突出部６９６を有する結合端子６９５を含む。
【０１４９】
突出部６９６は、本体結合部６９７より延長された結合端子６９５に形成される。これとは異なり、突出部６９６は、ホルダ固定部６９１と接する結合端子６９５の領域においてどこにでも形成されてよい。
【０１５０】
ホルダ固定部６９１は、突出部６９６に対応して陥没した陥没端子６９２を含む。即ち、結合端子６９５は突出部６９６が陥没端子６９２に結合されることで、ホルダ固定部６９１に電気的に接続される。
【０１５１】
突出部６９６と陥没端子６９２は互いに結合を容易にするために丸みを帯びた形状を有する。これとは異なり、突出部６９６及び陥没端子６９２は製品の特性によって多様な形状を有してもよい。このような突出部６９６と陥没端子６９２は本実施例において、それぞれ２つずつ形成されるが、結合端子６９５とホルダ固定部６９１との結合力を向上させるために２個以上の突出部６９６と陥没端子６９２が形成されてもよい。
【０１５２】
このように、結合端子６９５の突出部６９６を多様な形状及び多様な個数に形成し、これに対応してホルダ固定部６９１にも陥没端子６９２を形成することで、製品の特性及び大きさによって弾力的に対応させながら結合端子６９５をホルダ固定部６９１に接続してもよい。
【０１５３】
図２６は本発明の一実施例による液晶表示装置を示す斜視図である。
【０１５４】
本実施例において、バックライトアセンブリは図１０乃至図２５に示されたものと同一の構造を有するので、同一の参照番号を使用し、その重複される詳細な説明は省略する。
【０１５５】
図２６を参照すると、本発明の一実施例による液晶表示装置１０００は、バックライトアセンブリ７００、液晶表示パネル８００及びトップシャーシ９００を含む。
【０１５６】
液晶表示パネル８００は、アレイ基板８１０、アレイ基板８１０と対向するカラーフィルタ基板８２０及びアレイ基板８１０とカラーフィルタ基板８２０との間に注入された液晶層（図示せず）を含む。
【０１５７】
アレイ基板８１０は、スイッチング素子である薄膜トランジスタ（以下、ＴＦＴ）がマトリックス形状に形成されたＴＦＴ基板である。カラーフィルタ基板８２０は、色を実現するためのＲ、Ｇ、Ｂ画素が薄膜形状に形成される。
【０１５８】
また、液晶表示パネル８００は、ゲート電圧とデータ電圧を制御する印刷回路基板８３０及び印刷回路基板８３０とアレイ基板８１０とを連結するパネル印刷回路フィルム８４０をさらに含んでもよい。
【０１５９】
トップシャーシ９００は、液晶表示パネル８００の端を固定しながら収納容器７１０に結合される。トップシャーシ９００は一例として、収納容器２００と同一の金属材料から形成されてもよい。
【０１６０】
また、トップシャーシ９００は、整列板６１０と電気的に接続されてもよい。これにより、アースリード線５２０の接地面積が収納容器７１０とトップシャーシ９００まで拡張されてもよく、電源リード線５１０に印加される駆動電圧をより一定に保持してもよい。
【０１６１】
一方、液晶表示装置１０００はランプ５００から出射される光を拡散させる拡散板９５０、拡散板９５０から出射される光の特性を向上させる光学シート９６０及び光学シート９６０の端を固定し、且つ液晶表示パネル８００の端を支持するミドルモールド９７０をさらに含んでもよい。
【産業上の利用可能性】
【０１６２】
本発明のランプ固定ユニット、それを有するバックライトアセンブリ及び液晶表示装置によると、電源供給部材の電源印加端子が第１開口部と第２開口部を通じて挿入空間に挿入され、ランプホルダの導電ソケットの第１接続部に接続及び固定されることで、第１ランプホルダと電源供給部材との結合及び分離を容易にすることができる。
【０１６３】
また、アースリード線が、第２ランプホルダの第２導電ソケットを通じて収納容器に結合された金属材料を含む整列板に電気的に接続されることで、アースリード線をより簡便に収納容器に接地させることができる。
【０１６４】
以上、本発明の実施例を詳細に説明したが、本発明はこれに限定されず、本発明が属する技術分野において通常の知識を有するものであれば本発明の思想と精神を離脱することなく、本発明を修正または変更できる。
【図面の簡単な説明】
【０１６５】
【図１】本発明の一実施例によるランプ固定ユニットを分解した斜視図である。
【図２】図１に示されたランプ固定ユニットを結合して下から見た斜視図である。
【図３】図２に示されたランプホルダを示した斜視図である。
【図４】図２のＩ−Ｉ´線に沿って切断した第１実施例の導電ソケットを示した斜視図である。
【図５】図４に示された導電ソケットを示した斜視図である。
【図６】図２のＩ−Ｉ´線に沿って切断した第２実施例の導電ソケットを示した斜視図である。
【図７】図６に示された導電ソケットを示した斜視図である。
【図８】図２のＩ−Ｉ´線に沿って切断した第３実施例の導電ソケットを示した斜視図である。
【図９】図８に示された導電ソケットを示した斜視図である。
【図１０】本発明の一実施例によるバックライトアセンブリを示した斜視図である。
【図１１】図１０に示されたランプ、第１ランプ固定ユニット及び電源供給部材を示した斜視図である。
【図１２】図１１のＩＩ-ＩＩ´線に沿って切断した断面図である。
【図１３】図１０に示された整列板の一部を拡大した斜視図である。
【図１４】図１０に示されたランプ、第２ランプ固定ユニット及び収納容器の一部を拡大した斜視図である。
【図１５】図１４に示された収納容器と第１実施例による第２ランプ固定ユニットを分解した斜視図である。
【図１６】図１５に示された整列板及び第２ランプホルダを結合した斜視図である。
【図１７】図１６に整列板と第２導電ソケットとを結合した斜視図である。
【図１８】第２実施例による第２ランプ固定ユニットで整列板と第２導電ソケットとを結合した斜視図である。
【図１９】第３実施例による第２ランプ固定ユニットを結合した斜視図である。
【図２０】図１９に示された整列板と導電ソケットとを結合した斜視図である。
【図２１】図１９のＩＩＩ−ＩＩＩ´線に沿って切断した断面図である。
【図２２】第４実施例による第２ランプ固定ユニットを結合した斜視図である。
【図２３】第５実施例による第２ランプ固定ユニットを結合した斜視図である。
【図２４】第６実施例による第２ランプ固定ユニットを結合した斜視図である。
【図２５】図２４に示された第２ランプ固定ユニットを結合してＩＶ−ＩＶ´線に沿って切断した断面図である。
【図２６】本発明の一実施例による液晶表示装置を示した斜視図である。
【符号の説明】
【０１６６】
１００      ランプ固定ユニット
２００      固定部材
２１０      固定本体
２２０      収納部
２２３      第１開口部
３００      ランプホルダ
３１０      ホルダ本体
３２０      基板挿入部
３２５      第２開口部
３３０      ランプ固定部
３４０      導電ソケット
３５０      第１接続部
３６０      第２接続部
４００      ホルダキャップ
５００      ランプ
５１０      電源リード線
５２０      アースリード線
６００      電源供給部材
６１０      電源供給基板
６２０      電源印加端子
７００      バックライトアセンブリ
７１０      収納容器
８００      液晶表示パネル
９００      トップシャーシ
１０００      液晶表示装置
【図１】
0005275582.tif 000002
【図２】
0005275582.tif 000003
【図３】
0005275582.tif 000004
【図４】
0005275582.tif 000005
【図５】
0005275582.tif 000006
【図６】
0005275582.tif 000007
【図７】
0005275582.tif 000008
【図８】
0005275582.tif 000009
【図９】
0005275582.tif 000010
【図１０】
0005275582.tif 000011
【図１１】
0005275582.tif 000012
【図１２】
0005275582.tif 000013
【図１３】
0005275582.tif 000014
【図１４】
0005275582.tif 000015
【図１５】
0005275582.tif 000016
【図１６】
0005275582.tif 000017
【図１７】
0005275582.tif 000018
【図１８】
0005275582.tif 000019
【図１９】
0005275582.tif 000020
【図２０】
0005275582.tif 000021
【図２１】
0005275582.tif 000022
【図２２】
0005275582.tif 000023
【図２３】
0005275582.tif 000024
【図２４】
0005275582.tif 000025
【図２５】
0005275582.tif 000026
【図２６】
0005275582.tif 000027